(57)【特許請求の範囲】
【請求項１】
巻き胴部の両端部に軸孔を有するフランジ部をそれぞれ与えたケーブル巻回ボビンの盗難防止方法であって、
防犯器具の少なくとも一部を、前記ケーブル巻回ボビンの少なくとも一方の前記フランジ部に設けられた前記軸孔の中へ挿入し当該軸孔周辺のボビン内部構造と係合させるステップと、
前記防犯器具を前記ボビン内部構造から外れないように前記軸孔に装着するステップと、を有することを特徴とするボビンの盗難防止方法。
【請求項２】
前記防犯器具は、前記ケーブル巻回ボビンに対する装着状態において前記軸孔の開口を閉鎖する構造を有することを特徴とする請求項１記載の盗難防止方法。
【請求項３】
前記防犯器具を所定の固定箇所に連結するステップをさらに有することを特徴とする請求項１又は２に記載の盗難防止方法。
【請求項４】
前記所定の固定箇所は、他方の前記フランジ部の前記軸孔から装着された他の防犯器具に設けられることを特徴とする請求項３記載の盗難防止方法。
【請求項５】
前記所定の固定箇所は、他のケーブル巻回ボビンに装着された他の防犯器具に設けられることを特徴とする請求項３記載の盗難防止方法。
【請求項６】
巻き胴部の両端部に軸孔を有するフランジ部をそれぞれ与えたケーブル巻回ボビンの盗難を防止するための盗難防止器具であって、
少なくとも一部が前記ケーブル巻回ボビンの少なくとも一方の前記フランジ部に設けられた前記軸孔の中へ挿入され当該軸孔周辺のボビン内部構造と係合する少なくとも１つの係合部材を有し、
前記係合部材は、当該係合に基づき所定の装着処理により前記軸孔から外れないように当該軸孔に装着されることの可能な構造を有することを特徴とする盗難防止器具。
【請求項７】
前記係合部材は、前記ケーブル巻回ボビンに対する装着状態において前記軸孔の開口を閉鎖する構造を有することを特徴とする請求項６記載の盗難防止器具。
【請求項８】
前記係合部材は、互いに交差する方向に延びる一方及び他方の延在部をそれぞれ有しこれらが略Ｌ字状の主断面を形成してなる１対の掛着部材からなり、前記掛着部材は、前記所定の装着処理において前記一方の延在部を前記軸孔に遊挿された後又は遊挿されつつ前記一方の延在部が前記ボビンにおける前記軸孔の周辺のボビン内壁部に対向するよう前記掛着部材の向きを変えることにより前記他方の延在部が前記軸孔から突出する掛着姿勢を呈する構造を有することを特徴とする請求項６又は７に記載の盗難防止器具。
【請求項９】
前記１対の掛着部材の他方の延在部は、前記掛着姿勢において互いに対向させられ又は重ね合わされることを特徴とする請求項８記載の盗難防止器具。
【請求項１０】
前記一方及び他方の延在部は、板状を呈することを特徴とする請求項８又は９に記載の盗難防止器具。
【請求項１１】
前記一方の延在部は、前記軸孔の開口の幅又は直径の半分よりも大きい幅を有することを特徴とする請求項８乃至１０のうちの１つに記載の盗難防止器具。
【請求項１２】
前記他方の延在部は、前記軸孔の開口の幅又は直径よりも大きな幅の拡幅端部を有することを特徴とする請求項８乃至１１のうちの１つに記載の盗難防止器具。
【請求項１３】
前記係合部材が前記内部構造から外れないように前記係合部材を当該軸孔に装着するための装着部材をさらに有することを特徴とする請求項６乃至１２のうちの１つに記載の盗難防止器具。
【請求項１４】
前記装着部材は、前記係合部材に結合して前記所定の装着処理の用に供しうる紐様部材であることを特徴とする請求項１３記載の盗難防止器具。
【請求項１５】
前記紐様部材は、その一端側において前記係合部材と結合し、前記係合部材を所定の固定箇所に連結するようその他端側において前記固定位置と結合しうる機能を有することを特徴とする請求項１４記載の盗難防止器具。
【発明の詳細な説明】
【技術分野】
【０００１】
本発明は、広くケーブルの巻回されたボビンの盗難を防止するための方法及びそのための盗難防止用器具に関する。
【背景技術】
【０００２】
近時、銅などの金属材料の価格が上昇しており、これが動機となって、長距離伝送を担う電力線、通信線その他のケーブルなどを大量に巻きつけたボビンを工事現場などから丸ごと盗んでしまうような盗難事件が相次いでいる。
【０００３】
例えば、電線用ボビンは、特許文献１に開示の如く、巻き胴部の両端部にそれぞれフランジ部を与えて、当該フランジ部の中心に軸孔を設けた構造を有している。当該軸孔に剛体シャフトを貫挿すると該シャフトの周囲でボビンは回転自在となって、ボビンを回転させながら巻き胴部に巻回されたケーブル等を撚りを入れることなく送り出すことができるのである。
【０００４】
翻って、上記した盗難事件の主なものとしては、当該ボビンの軸孔にワイヤを通し、クレーンなどで持ち上げてこれをトラックに積んで移送する犯行が目立っている。この背景には、金属材料の価格上昇以外にも、当該ケーブル巻回ボビンが１００ｋｇ以上もある非常に重量のあるものであって、その管理者が第三者に盗まれることを全く予想していなかったことや、クレーン車等の外形及び重量の大なる物体を運送することのできる手段をいわゆるレンタルなどで誰もが容易に使用可能となっている現代の利便性などがある。
【０００５】
かかる状況を打破するため、ケーブル巻回ボビンの盗難を防止する方法が種々提案されているが様々な制約もある。例えば、ボビン自体は大型であって保管場所も広く必要であるので、屋外にそのまま放置されていることも多く、かかる場合であっても確実に盗難防止機能を発揮するようなものが求められる。また、特に大規模な施設や専用の保管場所では、数多くのケーブル巻回ボビンを保管する必要があって、盗難防止にかかるボビン１個当たりのコストを安価にすべきとの要請もある。
【特許文献１】特開２００３−３２１１６４号公報
【発明の開示】
【発明が解決しようとする課題】
【０００６】
本発明は、上述した問題に鑑みてなされたものであり、その目的とするところは、安価な手法で簡単かつ確実にケーブル巻回ボビンの盗難防止をなすことができる方法及び器具を提供することである。
【課題を解決するための手段】
【０００７】
本発明による巻き胴部の両端部に軸孔を有するフランジ部をそれぞれ与えたケーブル巻回ボビンの盗難防止方法は、防犯器具の少なくとも一部を、前記ケーブル巻回ボビンの少なくとも一方の前記フランジ部に設けられた前記軸孔の中へ挿入し当該軸孔周辺のボビン内部構造と係合させるステップと、前記防犯器具を前記ボビン内部構造から外れないように前記軸孔に装着するステップと、を有することを特徴とする。
【０００８】
本発明によれば、防犯器具がボビンの軸孔周辺の内部構造と係合し軸孔から外れないように装着されるので、ワイヤその他の搬送部材を軸孔に対して利用することが難しくなり、軸孔を使ってケーブル巻回ボビンを運送するような盗難を、簡単かつ安価な態様で効果的に防止することができるのである。
【０００９】
また、本発明による巻き胴部の両端部に軸孔を有するフランジ部をそれぞれ与えたケーブル巻回ボビンの盗難を防止するための盗難防止器具は、少なくとも一部が前記ケーブル巻回ボビンの少なくとも一方の前記フランジ部に設けられた前記軸孔の中へ挿入され当該軸孔周辺のボビン内部構造と係合する少なくとも１つの係合部材を有し、前記係合部材は、当該係合に基づき所定の装着処理により前記軸孔から外れないように当該軸孔に装着されることの可能な構造を有することを特徴とする。
【００１０】
本発明によれば、上記したと同様に、その軸孔を使ってケーブル巻回ボビンを運送するような盗難を簡単かつ安価な態様で効果的に防止することができるのである。
【発明を実施するための最良の形態】
【００１１】
本発明の１つの態様による盗難防止方法は、巻き胴部の両端部に軸孔を有するフランジ部をそれぞれ与えたケーブル巻回ボビンの盗難防止方法である。防犯器具の少なくとも一部を、ケーブル巻回ボビンの少なくとも一方のフランジ部に設けられた軸孔の中へ挿入して、この軸孔周辺のボビン内部構造と係合させるステップと、防犯器具を該ボビン内部構造から外れないように軸孔に装着するステップと、を有する。
【００１２】
かかる態様によれば、防犯器具がボビンの軸孔周辺の内部構造と係合し軸孔から外れないように装着されるので、ワイヤその他の搬送部材を軸孔に対して利用することが難しくなり、軸孔を使ってケーブル巻回ボビンを運送するような盗難を、簡単かつ安価な態様で効果的に防止することができる。
【００１３】
上記態様において、防犯器具を所定の固定箇所に連結させるステップをさらに有する。これにより、防犯器具を介して当該固定位置に連結されたボビンはさらに移動し難くなり、より一層、盗難防止を強固なものとすることができるのである。
【００１４】
この形態において、所定の固定箇所は、ボビンの他方の軸孔に装着された他の防犯器具に設けられるものとしてもよい。これにより、ボビンの両方の軸孔に防犯器具が装着されこれらが連結されるので、片方の軸孔だけを使ってボビンを運送することへの対策も、より万全となるとともに、当該固定箇所として対象のボビン以外に適切な場所がないときに適したものとなる。また、前記した所定の固定位置は、他のケーブル巻回ボビンに装着された他の防犯器具に設けられるものとしてもよい。これは、多数のケーブル巻回ボビンを扱う場合に適するなどの利点がある。
【００１５】
また、上記態様において、防犯器具は、ボビンに対する装着状態において軸孔の開口を閉鎖する構造を有するものとするのが好ましい。これにより、物理的にもその軸孔にワイヤなどを通すことが困難になるとともに、一見しただけで、その塞がれた軸孔の開口が分かり、軸孔を利用した犯行を未然に防止する状況を提供することができる。
【００１６】
また、上記目的を達成するため、本発明の他の態様は、巻き胴部の両端部に軸孔を有するフランジ部をそれぞれ与えたケーブル巻回ボビンの盗難を防止するための盗難防止器具であって、少なくとも一部がケーブル巻回ボビンの少なくとも一方のフランジ部に設けられた軸孔の中へ挿入され当該軸孔周辺のボビン内部構造と係合する少なくとも１つの係合部材を有し、係合部材は当該係合に基づき所定の装着処理により軸孔から外れないように当該軸孔に装着されることの可能な構造を有する。
【００１７】
この態様によれば、防犯器具としての係合部材をボビンの軸孔周辺の内部構造と係合し軸孔から外れないように装着することができるので、軸孔を用いて搬送部材を利用することが難しくなり、軸孔を使ったケーブル巻回ボビンの運送及び盗難を、簡単かつ安価な態様で効果的に防止することができる。
【００１８】
この態様において、係合部材は、ボビンに対する装着状態において軸孔の開口を閉鎖する構造を有するのが好ましい。これにより、物理的にもその軸孔にワイヤなどを通すことが困難になり、かかる閉鎖された軸孔の開口が一見して分かり、軸孔を利用した犯行の未然防止に寄与することができる。
【００１９】
また、これに付加的又は代替的に、係合部材は、互いに交差する方向に延びる一方及び他方の延在部をそれぞれ有しこれらが略Ｌ字状の主断面を形成してなる１対の掛着部材からなり、掛着部材は、所定の装着処理において一方の延在部を軸孔に遊挿された後又は遊挿されつつ一方の延在部がボビンにおける軸孔の周辺のボビン内壁部に対向するよう掛着部材の向きを変えることにより他方の延在部が軸孔から突出する掛着姿勢を呈する構造を有するものとしてもよい。これにより、防犯器具としての係合部材を、非常に簡単に提供することができ、しかもそのボビンへの装着も簡単にすることができる。
【００２０】
ここで、１対の掛着部材の他方の延在部は、掛着姿勢において互いに対向させられ又は重ね合わされるものとしてもよい。これにより、掛着部材の軸孔への挿入後、掛着部材を纏めて扱い易くすることができ、もって簡単な防犯器具の装着を迅速かつ簡単なものとすることができる。
【００２１】
前記した一方及び他方の延在部は、板状を呈するものとすることができる。板状にすることにより、当該軸孔の閉鎖がし易くなる利点がある。
【００２２】
さらに、一方の延在部は、軸孔の開口の幅又は直径の半分よりも大きい幅を有するのが好ましい。これにより、当該一方の延在部がボビン内壁部に対向配置されたときに、その幅の分だけ軸孔の閉鎖を確実なものとすることができる。なお、この一方の延在部の幅の規定は、経験的に、軸孔の開口の幅又は直径の半分を最低限とすべきとの判断に基づいている。当該閉鎖に寄与する延在部の幅は大きいほど好ましい。
【００２３】
また、他方の延在部は、軸孔の開口の幅又は直径よりも大きな幅の拡幅端部を有することが好ましい。これにより、係合部材のボビン内部空間への落下が防止される。
【００２４】
さらに、この盗難防止器具は、係合部材が内部構造から外れないように係合部材を当該軸孔に装着するための装着部材をさらに有してもよい。これにより、係合部材を確実に軸孔に装着することができる。
【００２５】
ここで、装着部材は、係合部材に結合して所定の装着処理の用に供しうる紐様部材としてもよく、さらに紐様部材は、その一端側において係合部材と結合し、係合部材を所定の固定箇所に連結するようその他端側において固定位置と結合しうる機能を有するようにしてもよい。これにより、紐様部材として平易な部材である鎖やロープを使用することができ、当該装着処理を簡単にし、ひいては防犯器具の装着のためのコストを安価にすることができる。また、係合部材の固定位置への連結に紐様部材を用いたことにより、ボビンの数や配置形態等へ柔軟に対応可能となり、好都合である。
【００２６】
さらに本発明の実施の形態を図１乃至図８を参照して詳細に説明する。
【００２７】
図１は、本発明の一実施例による防犯器具を装着する対象の送電線などのケーブルを巻回するボビンの概略的外観を示している。
【００２８】
ボビン１０は、例えば銅製の芯線に合成樹脂を被覆してなる長距離ケーブルを巻回するためのものであり、その巻回により１００ｋｇを超える総重量ともなりうる大型のボビンである。かかるボビン１０は、必要に応じてその寸法や形状が規格化されるものである。ボビン１０は、巻き胴部又は巻き枠とも称される実際にケーブルが巻回される例えば木製の円筒体部１１と、円筒体部１１の両端において互いに対向しそれら端面とそれぞれの円形主面とが接合して固定されるフランジ部とも称される例えば木製の円形鍔状部１２ａ，１２ｂとを有する。鍔状部１２ａ，１２ｂは、ケーブルの巻回領域を規定する役目を担うとともに、巻回されたケーブルの搬送時の保護をなす機能も有する。
【００２９】
鍔状部１２ａ，１２ｂはまた、円形主面の中央にそれぞれ貫通した円形の軸孔１３ａ，１３ｂを有しており、互いの開口の中心を結ぶ線（図において、鎖線で示される軸線）が円筒体部１１の中心と一致している。かかる開口を有する軸孔１３ａ，１３ｂは、図示せぬ巻回装置及び送出装置からの専用のシャフトが挿通されボビン全体を回転させることでケーブルの巻き取りや引き出しをなすために用いられる。なお、軸孔１３ａ，１３ｂの開口は、図１に示すような円形でなくともよい。
【００３０】
図２は、このボビン１０の軸線を含む断面を示している。この図から分かるように、円筒体部１１の外側にはケーブル２０が何層にも巻回される一方で、円筒体部１１の内部は、その壁部及び鍔状部１２ａ及び１２ｂの壁部により仕切られた空洞１００となっている。巻回効率からすれば、円筒体部１１の直径は小さい方が沢山の量のケーブル２０を巻回することができるが、送電用に使うケーブルは硬く、小さな直径ではケーブルを巻回することができず、いわば表層のみの巻回状態、すなわち中空状態でケーブルが巻回される。
【００３１】
図３は、ボビン１０（図１参照）に装着して盗難防止を図るための防犯器具を斜視図にて概略的に示している。
【００３２】
図３において、本例の防犯器具は、２ピース構成からなる係合部材３０を有する。具体的には、この係合部材は、互いに同じ寸法及び形状を有する鋼材やアルミニウムなどの金属で形成された１対の掛着部材３Ａ，３Ｂによって構成される。掛着部材３Ａは、互いに交差する方向、本例では互いに略直角に延びる一方の延在部３１と他方の延在部３２とを有し、これらが略Ｌ字状の主断面を形成する。好ましくは、延在部３１及び３２は共に板状に形成され、一体成形される。
【００３３】
軸孔１３ａ，１３ｂ（図２参照）への最初の挿入対象となる延在部３１の幅Ｗ１は、軸孔１３ａ，１３ｂ（図２参照）の開口の幅又は直径よりも小さく、好ましくは当該幅又は直径の半分より大きいものと規定することができる。延在部３１の幅Ｗ１は、軸孔１３ａ，１３ｂ（図２参照）の開口の幅又は直径の半分以下であったとしても、本発明特有の効果を全く発揮しない訳ではないが、後述する軸孔の開口の閉鎖を十分にする観点から、このような規定が望ましいと考えられる。
【００３４】
後の連結処理における対象となる連結端部を担う延在部３２は、軸孔１３ａ，１３ｂ（図２参照）の幅又は直径よりも大きな幅Ｗ２を有する拡幅端部３３を有する。これは、後述するボビン１０（図１参照）に対する装着処理及び連結処理に有利となる。特に、拡幅端部３３は、後述する延在部３１の軸孔への挿入作業に際し、ユーザが誤ってボビン１０（図１参照）の内部空間１００（図２参照）に掛着部材３Ａ，３Ｂを落としてしまうことを防止することができる。また、いわゆる取っ手としての機能も発揮して扱い易くなる。また、鎖などの紐様部材で掛着部材３Ａ，３Ｂと固定位置との連結がし易くなり、当該幅の大きな拡幅端部３３が遠目で目立つ存在となって、防犯器具の装着の確認がし易くなるという効果もある。さらに、必須ではないが、延在部３２には、当該装着処理及び／又は連結処理に利用可能な貫通孔３４，３５を設けてもよい。延在部３２の長さＬは、鍔状部１２ａ，１２ｂ（図２参照）の厚さよりも十分に大きくなされる。
【００３５】
もう一方の掛着部材３Ｂも掛着部材３Ａと同一の構造を有する。但し、ボビン１０への装着は、図３に示されるように互いの他方の延在部３２が対向し互いの一方の延在部３１が離れる方向に延びる姿勢（掛着姿勢）となるように行われる。本例では最終的に、それぞれの延在部３２が重ね合わされる。
【００３６】
図４及び図５は、掛着部材３Ａ及び３Ｂのボビン１０（図１参照）に対する装着処理の様子を断面図にて概略的に示している。
【００３７】
装着処理においては先ず、図４に示されるように、ユーザは、掛着部材３Ａ，３Ｂの延在部３１をその先端から当該軸孔１３ａの貫通方向に沿って、軸孔１３ａの開口に挿入する（矢印Ｆ１）。このとき掛着部材３Ａ，３Ｂは軸孔１３ａに対し遊挿状態となるので、ユーザは、容易にその挿入作業をなすことができる。
【００３８】
この遊挿の後又は遊挿の最中に、ユーザは、今度は延在部３２が軸孔１３ａから立ち上がるように掛着部材３Ａ，３Ｂを回転させる（矢印Ｆ２）。すなわち、延在部３１が軸孔１３ａの周辺のボビン内壁部１２０に対向するよう、掛着部材３Ａ，３Ｂの向きを本例では９０度変えることによって、延在部３２を軸孔１３ａから突出させる。これにより、掛着部材３Ａ，３Ｂを図５に示されるような掛着姿勢にすることができる。
【００３９】
図６は、軸孔に対する掛着部材３Ａ，３Ｂの最終的な掛着姿勢を概略的に示している。本例では、延在部３２同士がそれぞれの背面において重なり接触した状態で（矢印Ｆ３、図５参照）、後続の作業に引き継がれる。この状態では、延在部３１がボビン内壁部１２０（図４及び５参照）及び軸孔１３ａの開口端面（ボビン内部構造）と係合した格好となり、ここまでの矢印Ｆ３，Ｆ２，Ｆ１（図４及び５参照）につき説明した操作とは逆の操作をしない限り、掛着部材３Ａ，３Ｂは軸孔１３ａから外れることがない。また、図６から分かるように、延在部３１は、軸孔１３ａの開口を大きく閉鎖する。図６において、ハッチングを施した部分は、その閉鎖領域を表している。
【００４０】
なお、このように延在部３２同士の重ね合わせは、例えば延在部３２の一方の背面にＮ極、他方の背面にＳ極を配した磁石を用いることにより、さらに容易にすることも可能である。また、付加的な装着手段又は部材によって、簡単には掛着部材３Ａ，３Ｂが軸孔１３ａから外れないように図６に示されるような状態を維持するようにしてもよい。例えば、重ねた延在部３２を、鎖、ロープその他の紐様部材で縛り付けてもよいし、前述した貫通孔３４，３５などを用いてネジ止めしたり鍵を掛けるようにしてもよい。紐様部材を用いた場合は、極めて平易かつ安価な材料で済むという利点があり、また、コイルチェーンなどを使った場合には、そのコイル要素（リング状部材）の穴を使って施錠することができて便利となる。
【００４１】
図７は、以上のようにして装着された掛着部材３Ａ，３Ｂによる係合部材３０をさらに所定の固定位置に連結した様子を概略的に示している。
【００４２】
図７において、掛着部材３Ａ，３Ｂによる係合部材３０は、一方の軸孔１３ａだけでなく、他方の軸孔１３ｂにも取り付けられる。ここでは、上述した付加的装着手段としての紐様部材を係合部材３０同士の連結に兼用している。すなわち、当該紐様部材としての例えばコイルチェーン４０は、その一端側において係合部材３０−１と結合するとともに係合部材３０−１の軸孔１３ａへの装着にも使われる。さらにその他端側において相対する係合部材３０−２と結合するとともに係合部材３０−２の軸孔１３ｂへの装着にも使われる。このようにして、係合部材３０−１と３０−２との連結が達成される。ここでは係合部材３０−１の連結先の固定位置を同じボビン１０の反対側の係合部材３０−２としているが、当該固定位置は、係合部材ではなく、地面その他の重量の極めて大きな物体の位置としてもよい。
【００４３】
図８は、コイルチェーン４０による他の連結態様を概略的に示しており、コイルチェーン４０は、異なるボビン１０における係合部材３０同士を連結し、また係合部材３０それぞれの装着にも使われる。ここでは隣接するボビン１０の相対する係合部材３０同士を連結しているが、これに必ずしも限定されることはなく、ボビン１０の配列上ボビンを１つ飛ばしで連結するようにしてもよいし、かかる連結の対象に別に規定された固定位置を加えてもよい。
【００４４】
なお、上記実施例においては、掛着部材３Ａ，３Ｂを装着時に互いに接するようにしているが、必ずしもこれに限定されず、両者の間に何らかの機能を果たす介在部材を挿入してもよい。
【００４５】
以上、本発明による代表的実施例及びこれに基づく変形例を説明したが、本発明は必ずしもこれらに限定されるものではなく、当業者であれば、添付した請求項の範囲を逸脱することなく種々の代替実施例及び改変例を見出すことができるであろう。
【図面の簡単な説明】
【００４６】
【図１】本発明の実施例による盗難防止方法が適用されるケーブル巻回用ボビンの構成を示す斜視図である。
【図２】図１のボビンの断面図である。
【図３】本発明の実施例による防犯器具を構成する掛着部材の構成を示す斜視図である。
【図４】図３の掛着部材の軸孔に対する装着処理の第１段階を示す断面図である。
【図５】図３の掛着部材の軸孔に対する装着処理の第２段階を示す断面図である。
【図６】図３の掛着部材の軸孔に対する最終的装着状態を示す斜視図である。
【図７】図３の掛着部材による係合部材の連結処理の一例を説明するための図である。
【図８】図３の掛着部材による係合部材の連結処理の他の例を説明するための図である。
【符号の説明】
【００４７】
３Ａ，３Ｂ      掛着部材
１０            ボビン
１１            円筒体部
１２ａ，１２ｂ  鍔状部
１３ａ，１３ｂ  軸孔
２０            ケーブル
３０            係合部材
３３            拡幅端部
４０            コイルチェーン
【要約】
【課題】  安価な手法で簡単かつ確実にケーブル巻回ボビンの盗難防止をなすことができる方法を提供する。
【解決手段】  本発明は、ケーブル２０が巻回されるボビンの盗難防止方法を提供する。この方法は、少なくとも１つの防犯器具（３Ａ，３Ｂ）の少なくとも一部３１を、ケーブル巻回ボビンの少なくとも一方の軸孔１３ａの中へ挿入し軸孔周辺のボビン内部構造１２０と係合させるステップと、防犯器具（３Ａ，３Ｂ）が軸孔１３ａから外れないように防犯器具を軸孔１３ａに装着するステップとを有する。
【選択図】  図６【図１】
0004116068.tif 000002
【図２】
0004116068.tif 000003
【図３】
0004116068.tif 000004
【図４】
0004116068.tif 000005
【図５】
0004116068.tif 000006
【図６】
0004116068.tif 000007
【図７】
0004116068.tif 000008
【図８】
0004116068.tif 000009